(57)【要約】【課題】部品点数及び組付作業の作業工数を削減して容易に組み付けることができる発光装置を提供すること。【解決手段】発光装置１は、長尺なフレキシブル配線基板である基板２と、基板２上に長手方向に並べて複数設けられた発光部３と、基板２を収納する直管４と、直管４の開口端部４ａに設けられるキャップ５と、を備えている。直管４は、基板２を載置する台座部４ｅと、台座部４ｅの下側に形成され、キャップ５の内壁５ａから突出形成された第１突起５ｂが係合される係合部４ｄと、を有する。基板２は、長手方向の端部２ｃに係合部４ｄ内に折り返して挿入される折り返し部２ｂを有する。係合部４ｄ内に挿入された折り返し部２ｂは、係合部４ｄに第１突起５ｂを係合させることによって保持されている。【選択図】図１
2014130941.tif 000002
【特許請求の範囲】
【請求項１】
長尺なフレキシブル配線基板である基板と、前記基板上に長手方向に並べて複数設けられた発光部と、前記基板を収納する直管と、前記直管の開口端部に設けられるキャップと、を備えた発光装置であって、
前記直管は、前記基板を載置する台座部と、
前記台座部の下側に形成され、前記キャップの内壁から突出形成された第１突起が係合される係合部と、を有し、
前記基板は、長手方向の端部に前記係合部内に折り返して挿入される折り返し部を有し、
前記係合部内に挿入された前記折り返し部が、前記係合部に前記第１突起を係合させることによって保持されていることを特徴とする発光装置。
【請求項２】
前記係合部は、前記台座部の裏面と、
前記台座部を直管内壁に支持する支柱部と、
前記直管内壁から前記台座部の裏面に対向するように形成した突起支持部と、から形成されていることを特徴とする請求項１に記載の発光装置。
【請求項３】
前記突起支持部は、前記直管内壁の互いに対向する部位から互いに近づく方向にそれぞれ突出して形成された２つの支持片からなることを特徴とする請求項２に記載の発光装置。
【請求項４】
前記キャップは、前記直管の外周端部を覆う環状部と、
前記環状部に第１隙間を介して配置され、前記直管の内周端部に対向するように形成された第２突起と、
を有することを特徴とする請求項１乃至請求項３のいずれか一項に記載の発光装置。
【請求項５】
前記直管は、少なくとも前記台座部の短手方向の一方の側に形成され、前記基板の短手方向の端部を支持する基板支持部を有し、
前記基板支持部は、前記台座部に載置された前記基板の短手方向の端部を支持し、少なくとも前記台座部の短手方向の一方端を立ち上げて形成した立上部と、
この立上部の先端側を前記直管の内側に向けて形成した折曲部と、を有していることを特徴とする請求項１乃至請求項４のいずれか一項に記載の発光装置。
【発明の詳細な説明】
【技術分野】
【０００１】
本発明は、例えば、複数の発光部を設けた長尺な基板を直管内に収納した発光装置に関する。
【背景技術】
【０００２】
従来から多数の発光素子（ＬＥＤ）を長尺なフレキシブル基板に実装し、そのフレキシブル基板を直管に収納して、直管型の蛍光灯に対応した形状に形成した直管型の発光装置（照明装置）が知られている（例えば、特許文献１参照）。
【０００３】
特許文献１に記載された発光装置は、カバーとアルミベースとで円筒状に形成された直管を有している。多数のＬＥＤ（ＬＥＤモジュール）を一列に設けた基板は、熱伝導シートを介在してアルミベースにプラスチックネジでねじ止めされている。その基板の両端部は、カバー及びアルミベースと共にキャップ形状のケース端子がそれぞれ内嵌されて保持されている。
【先行技術文献】
【特許文献】
【０００４】
【特許文献１】特開２０１１−１５９３９１号公報（図１及び図２）
【発明の概要】
【発明が解決しようとする課題】
【０００５】
前記特許文献１に記載されているような従来の直管型の発光装置は、基板をアルミベース等の直管に固定するのにプラスチックネジを使用している。このため、従来の直管型の発光装置は、基板やアルミベースに複数のねじ穴を形成する穴あけ作業や、複数のねじ部材（プラスチックネジ）が必要になるので、部品点数が増加して構造が複雑化すると共に、組付作業の作業工数が増加してコストアップになるという問題点があった。
【０００６】
そこで、本発明は、部品点数及び組付作業の作業工数を削減して容易に組み付けることができる発光装置を提供することを目的とする。
【課題を解決するための手段】
【０００７】
前記課題を解決するため、本発明に係る発光装置は、長尺なフレキシブル配線基板である基板と、前記基板上に長手方向に並べて複数設けられた発光部と、前記基板を収納する直管と、前記直管の開口端部に設けられるキャップと、を備えた発光装置であって、前記直管は、前記基板を載置する台座部と、前記台座部の下側に形成され、前記キャップの内壁から突出形成された第１突起が係合される係合部と、を有し、前記基板は、長手方向の端部に前記係合部内に折り返して挿入される折り返し部を有し、前記係合部内に挿入された前記折り返し部が、前記係合部に前記第１突起を係合させることによって保持されていることを特徴とする。
【０００８】
かかる構成によれば、発光装置は、発光部を長手方向に並設したフレキシブル配線基板である基板が、長手方向の端部に直管の係合部内に折り返して配置される折り返し部を有する。そして、発光装置は、その折り返し部が係合部に挿入された状態で、キャップの第１突起を係合部に係合させることにより、折り返し部を直管及びキャップに保持させることができる。このため、発光装置は、折り返し部が挿入された直管の係合部にキャップの第１突起を挿入すれば、基板をピンと張った状態で直管に固定させことができる。
【発明の効果】
【０００９】
本発明に係る発光装置は、少ない部品点数及び組付作業の作業工数で容易に組み付けることができる。
【図面の簡単な説明】
【００１０】
【図１】本発明の実施形態に係る発光装置を示す一部断面を有する概略平面図である。
【図２】直管の開口端部を示す要部拡大概略斜視図である。
【図３】直管の開口端部と、基板に折り返し部と、キャップとを示す要部拡大概略分解斜視図である。
【図４】基板の折り返し部の組み付け状態を示す直管の開口端部とキャップの要部拡大概略分解斜視図である。
【図５】発光装置の端部の内部構造を示す断面を有する要部拡大概略斜視図である。
【図６】発光装置の組み付け手順を示す概略分解斜視図であり、（ａ）は基板を直管に挿入するときの状態を示す図、（ｂ）は基板を直管内に挿入したときの状態を示す図、（ｃ）は基板の折り返し部を折り曲げたときの状態を示す図、（ｄ）はキャップを直管に嵌合させるときの状態を示す図である。
【発明を実施するための形態】
【００１１】
以下、図１〜図６を参照して本発明の実施形態に係る発光装置を説明する。
ただし、以下に示す実施形態は、本発明の技術思想を具体化するための発光装置１を例示するものであって、実施形態に記載されている構成部品の寸法、材質、形状、その相対的配置等は特に特定的な記載がない限り、本発明の範囲をそれのみに限定する趣旨ではなく、単なる説明例に過ぎない。なお、各図に示す部材の大きさや厚さや位置関係等は、説明を明確にするため一部誇張して記載してある。また、実施形態の説明において、発光装置１は、長手方向及び短手方向の中央部を中心として略対称形状に各部材が形成されているので、その一方側を主に説明して、他方側の説明を適宜省略する。
【００１２】
≪発光装置の構成≫
図１に示すように、発光装置１は、電流が供給されることによって、各発光部３の発光素子３０（図５参照）から光を発する装置である。この発光装置１は、例えば、直管型のＬＥＤ照明装置として利用することができる。発光装置１は、長尺なフレキシブル配線基板である基板２と、この基板２上に長手方向に並べて複数設けられた発光部３と、基板２を収納する直管４と、この直管４の両側の開口端部４ａに設けられるキャップ５と、を主に備えている。
発光装置１は、例えば、直管４の両側のキャップ５にそれぞれ設けられた口金ピン５１を不図示の照明装置本体のソケット部に装着することによって、照明装置本体に着脱自在に取り付けられる。
【００１３】
≪基板の構成≫
図１に示すように、基板２は、縦断面視して直管４内の中央部に、直管内壁４ｂに沿って水平に配置された長尺な矩形状のフレキシブル配線基板からなる（図４及び図５参照）。基板２は、例えば、ポリイミドやポリエステル等によって薄板状のフレキシブルな絶縁性基材に形成されている。この基板２は、配線パターンが形成され、表面上に複数の発光部３等が設けられる素子設置部２ｄと、この素子設置部２ｄの両側に形成された折り返し部２ｂ（図３参照）と、を有している。
【００１４】
図３及び図４に示すように、基板２は、短手方向の両側の端部２ａを基板支持部４ｃに進退可能な状態に挿入して支持させ、素子設置部２ｄ全体が台座部４ｅ上に載置される。基板２は、長手方向の両側の端部２ｃ側の折り返し部２ｂを下側に折り返して係合部４ｄに挿入し、さらに、その係合部４ｄにキャップ５の第１突起５ｂを内嵌させることにより、折り返し部２ｂを保持させて、直管４内に固定されている（図５参照）。
【００１５】
図１に示すように、素子設置部２ｄは、表面上に、不図示の配線パターンが形成され、その配線パターンの所定位置に発光部３のそれぞれが、直管４の長手方向に予め設定した適宜な間隔で１列に設置されて実装されている。
【００１６】
その配線パターン(図示省略)は、発光部３等が実装される実装部(図示省略)と、発光部３に電力を供給するための電線(図示省略)が配置される電線接続部と、が形成され、電線の一端が前記電線接続部に接続され、当該電線の他端がキャップ５に設けられた口金ピン５１に接続されるように構成されている。
なお、基板２には、配線パターンの一部を覆い、光を反射するレジストを設けてもよい。
【００１７】
図４に示すように、折り返し部２ｂは、基板２の長手方向両側の端部２ｃ側に形成され、下側に折り返してＵ字状にして係合部４ｄ内に挿入配置される部位である。基板２は、素子設置部２ｄを台座部４ｅ上に載置した際に、折り返し部２ｂが、台座部４ｅから外側に食み出る長さに形成されている。図５に示すように、折り返し部２ｂの長手方向の長さは、例えば、キャップ５の第１突起５ｂの突出長さよりも長く形成されている。直管４にキャップ５を外嵌させることで内設された折り返し部２ｂは、台座部４ｅの下面と第１突起５ｂの上面とで挟持されている。また、基板２は、折り返し部２ｂを折り返しやすくするために、折り返し部２ｂにおいて、部分的に又は全体的に、配線パターンが、素子設置部２ｄの配線パターンより少なくなっている、又は無くなっていてもよい。
【００１８】
≪発光部の構成≫
図５に示すように、発光部３は、基板２上に長手方向に所定間隔を開けて１列に並べて設けられたＬＥＤモジュールである。この発光部３は、例えば、発光素子３０と、発光素子３０を覆うようにして設けられた蛍光体含有樹脂３１と、を有している。
発光素子３０は、例えば、窒化ガリウム系化合物半導体から成る光を発するＬＥＤチップ等から構成された発光体であり、基板２の配線パターン上にダイボンド部材等によって固定されている。
なお、蛍光体含有樹脂３１は、含有する蛍光体により、光色の調整を行って光を出射させるための樹脂である。
【００１９】
≪直管の構成≫
直管４は、基板２を収納する筐体であり、例えば、透明な絶縁性樹脂によって形成されている。直管４は、長手方向両端に開口端部４ａを有する略円筒形状のケース本体４ｋと、ケース本体４ｋの直管内壁４ｂに対して水平に配置された台座部４ｅと、台座部４ｅの短手方向の両端部側に形成された基板支持部４ｃと、台座部４ｅの下側に形成された係合部４ｄと、係合部４ｄの下側に形成された下側中空部４ｊと、を主に有している。
【００２０】
図２に示すように、台座部４ｅは、基板２（図４参照）が載置されて、基板を下側から支持する部位である。この台座部４ｅは、直管内壁４ｂの下方の左右から上方向に向けて延設された左右一対の支柱部４ｈ間の上部に、水平に一体形成された平板状の部位からなる。台座部４ｅは、平面視して基板２の素子設置部２ｄの大きさよりも、僅かに大きく形成されている（図１参照）。
【００２１】
図３に示すように、基板支持部４ｃは、台座部４ｅに載置された基板２の短手方向の両側の端部２ａを支持する部位である。基板支持部４ｃは、台座部４ｅの短手方向の両側で上方に突出して形成され、直管内壁４ｂに沿って長手方向に延設されている。基板支持部４ｃは、台座部４ｅの短手方向の両端を立ち上げて形成された立上部４ｉ，４ｉと、立上部４ｉ，４ｉの先端側を直管４の内側に向けて形成された折曲部４ｆ，４ｆと、を有している。このため、基板支持部４ｃは、台座部４ｅと立上部４ｉ，４ｉと折曲部４ｆ，４ｆとで、基板２の短手方向両側の端部２ａが挿入される凹部を形成して、基板２が短手方向に移動するのを抑制して、基板２を直管４内に挿入して内設するときのガイド機能を果たす。
【００２２】
立上部４ｉは、台座部４ｅの短手方向の両端から上方向に向けて垂直に立設されて、基板支持部４ｃの側壁を形成する平板状の部位である。この立上部４ｉは、所定厚みの樹脂で形成されることから短手方向（左右方向）に弾性を有している。
折曲部４ｆは、立上部４ｉの上端から内側方向に向けて水平に直角に折り曲げて形成された平板状の部位である。この折曲部４ｆは、所定厚みの樹脂で形成されることから上下方向に弾性を有している。
【００２３】
係合部４ｄは、基板２の折り返し部２ｂを挿入して、キャップ５の第１突起５ｂで係合するためのものである。係合部４ｄは、台座部４ｅの裏面と、台座部４ｅを直管内壁４ｂに支持する左右の支柱部４ｈ，４ｈと、直管内壁４ｂから台座部４ｅの裏面に対向するように形成された左右の突起支持部４ｇ，４ｇと、によって縦断面視して略矩形の中空状部位となる空間を形成している。係合部４ｄは、直管内壁４ｂに沿って長手方向に延設され、直管４の一方の開口端部４ａから他方の開口端部４ａに亘って形成されている。
ここで、「係合」とは、係合部４ｄと、被係合部である基板２の折り返し部２ｂとを繋いだ状態に係わり合わせることであって、互いに一部が接触して繋いだ状態であれば、互いに嵌り合った状態でなくても構わない。
【００２４】
前記台座部４ｅの裏面は、台座部４ｅの下面であって、ここでは係合部４ｄの天井面を形成する平らな面からなる。
支柱部４ｈ，４ｈは、ここでは立上部４ｉ，４ｉに連続する基部であり、突起支持部４ｇ，４ｇの成形基部における左右両側の直管内壁４ｂから上方向に向けて垂直に立設された平板状の部位であり、係合部４ｄの左右側壁を形成している。
【００２５】
突起支持部４ｇ，４ｇは、直管内壁４ｂの互いに対向する部位から互いに近づく方向にそれぞれ突出して形成された２つの支持片からなり、第１突起５ｂの下面を下側からそれぞれ弾性支持する部位である。突起支持部４ｇ，４ｇは、直管内壁４ｂの下方の左右から内側方向に向けて台座部４ｅの裏面と平行に形成されている。この突起支持部４ｇ，４ｇは、直管内壁４ｂに片持ち梁状に突出形成された平板状の支持片であり、所定厚みの樹脂で形成されることから上下方向に弾性を有している。
【００２６】
下側中空部４ｊは、突起支持部４ｇ，４ｇと、直管内壁４ｂの底部との間に形成された中空部位である。突起支持部４ｇ，４ｇは、この突起支持部４ｇ，４ｇの下側に下側中空部４ｊが形成されていることによって、上下方向に弾性が備わっている。この突起支持部４ｇ，４ｇは、中央側が、直管内壁４ｂに開口することで、台座部４ｅの裏面からの空間を下側中空部４ｊまで広げている。したがって、基板２からの発熱を台座部４ｅの裏面から空間に逃がすことができるように構成されている。
【００２７】
≪キャップの構成≫
図４に示すように、キャップ５は、直管４の両側の開口端部４ａに外嵌される有底円筒形状の絶縁部材からなり、例えば、不透明な絶縁性樹脂によって形成されている。キャップ５には、一対の口金ピン５１が、直管４の長手方向両側の端面に突設されている。キャップ５は、直管４の開口端部４ａを閉塞する内壁５ａと、内壁５ａの下部から直管４側に向けて突出形成された第１突起５ｂと、内壁５ａの外縁から直管４側に向けて突出形成された環状部５ｃと、内壁５ａの上部から直管４側に向けて突出形成された第２突起５ｄと、が一体形成されている。
なお、キャップ５は、口金ピン５１に電気的な接続を行う場合には、配線パターンが第１突起５ｂの上面から内部に形成されていてもよい。そして、その場合、基板２の配線パターンの接続部分(図示省略)が、第１突起５ｂ上の配線パターンの接続部分と当接して電気的に接続されることになる。
【００２８】
図１に示すように、口金ピン５１は、電源接続用の給電端子としての機能と、発光装置１を不図示のＬＥＤ照明装置の装置本体に取り付けるための取付用ピンとしての機能を果たす。口金ピン５１を使用する場合は、発光装置１の給電形式によって、いくつかの使用方法がある。口金ピン５１は、例えば、発光装置１を交流の電路から給電する場合、左右二本のピンを使用する方法と、左右の各１本のピンを使用する方法と、左右のどちらか一方の２本のピンを使用する方法と、がある。また、口金ピン５１は、発光装置１を直流電源から給電する場合、左右の各１本のピンを使用する方法と、左右のどちらか一方の２本のピンを使用して他方の２本をダミー端子として使用する方法と、がある。
また、基板２と電源との接続は、口金ピン５１を使用せずに、基板２に接続した電線に電気接続用のコネクタを設けて、そのコネクタによる接続方法でもよい。
【００２９】
図４に示すように、内壁５ａは、キャップ５の底板を形成する部位であり、円板状に形成されている。内壁５ａには、口金ピン５１を保持するピン設置部(図示省略)が形成されている。
第１突起５ｂは、基板２の折り返し部２ｂが挿入された係合部４ｄ内に、この第１突起５ｂを圧入させることによって、折り返し部２ｂを直管４に固定するための突起である。第１突起５ｂは、係合部４ｄに形状に合わせて、縦断面視して略四角形状に形成されている。第１突起５ｂは、環状部５ｃの内側壁から第２隙間Ｓ２を介して係合部４ｄに向けて一体に突出形成されている。
【００３０】
環状部５ｃは、直管４の外周端部を覆うように外嵌される円環状に形成された部位である。
第２突起５ｄは、環状部５ｃに第１隙間Ｓ１を介して配置され、直管４の内周端部に対向するように形成された縦断面視して円弧形状の突起からなる。
【００３１】
第１隙間Ｓ１は、環状部５ｃと第２突起５ｄとの間に形成された縦断面視して凹溝状の空間であり、直管４の開口端部４ａの上側部位が挿入されて保持される部位である。
第２隙間Ｓ２は、環状部５ｃと第１突起５ｂとの間に形成された縦断面視して凹溝状の空間であり、直管４の開口端部４ａの下側部位、突起支持部４ｇ及び支柱部４ｈが挿入されて保持される部位である。
なお、係合部４ｄと第１突起５ｂとの関係は、係合部４ｄに折り返し部２ｂを挿入しても、突起支持部４ｇ，４ｇが下方向に弾性変形してキャップ５を直管４に嵌合できるようになっている。
【００３２】
［発光装置の作用］
次に、図６（ａ）〜（ｄ）に基づいて、図１〜図５を参照しながら、本発明の実施形態に係る発光装置１の作用を組み付け手順と共に説明する。
まず、図１に示すように、基板２と、直管４と、一対のキャップ５をそれぞれ製造する。このとき、直管４は、長手方向に一様な断面形状であるため、押出成形により連続的に製造することができる。
【００３３】
それらを組み立てる場合は、初めに、図６（ａ）に示すように、基板２を台座部４ｅ上に載せて、基板２の短手方向両側の端部２ａを直管４の左右の基板支持部４ｃ間に挿入する。
図６（ｂ）に示すように、この場合、長尺な基板２は、短手方向両側の端部２ａが、台座部４ｅ（図６（ａ）参照）と立上部４ｉと折曲部４ｆとによって支持されることにより、幅方向への移動が規制されてガイドされるため、スムーズに直管４内の奥に挿入することができる。
【００３４】
図６（ｃ）に示すように、その後、基板２の長手方向両側の端部２ｃの折り返し部２ｂを、下方向にＵ字状に折り曲げて係合部４ｄに挿入する。
図６（ｄ）に示すように、さらに、その係合部４ｄ内にキャップ５の第１突起５ｂを圧入すると共に、環状部５ｃを直管４の外周部端部に外嵌させる。
すると、折り返し部２ｂは、係合部４ｄと第１突起５ｂとで保持されて、基板２が直管４及びキャップ５内に固定される。このため、基板２は、長手方向の両端の折り返し部２ｂが係合部４ｄと第１突起５ｂで保持されると共に、前記左右の基板支持部４ｃによって短手方向の移動が規制されているので、固定具や接着剤なしでも、基板２をピンと張った状態にしっかりと直管４内に固定させることができる。
【００３５】
折り返し部２ｂは、基板２の長手方向両側の端部２ｃをＵ字状に折り曲げて係合部４ｄ内に挿入され、第１突起５ｂが強制的に係合部４ｄに係合されているので、突起支持部４ｇ，４ｇの弾性力で第１突起５ｂの上面側に下方から押圧された状態で、第１突起５ｂが係合部４ｄ内にガタつきなく支持される。
【００３６】
また、係合部４ｄの下面を形成する突起支持部４ｇは、直管内壁４ｂから片持ち梁状に突出形成された支持板片からなるので、上下方向に対して弾性を有し、第１突起５ｂを弾性支持することができるため、折り返し部２ｂ及び第１突起５ｂを下側からガタつきなく支持することができる。
そして、キャップ５は、第１隙間Ｓ１及び第２隙間Ｓ２に直管４の開口端部４ａの上下部位が挿入されることによって、直管４に固定される。
【００３７】
このようにして、発光装置１は、図１に示すように組み付けられて、組付作業が完了する。
基板２は、折り返し部２ｂを有していることにより、その折り返し部２ｂを直管４及びキャップ５により支持することができるため、固定具や接着剤なしでも、直管４に固定させることができる。
したがって、発光装置１は、部品点数、組付作業の作業工数、部品管理工数及び接着剤の乾燥時間などを削減することができるため、作業効率及び量産性を向上させて、コストダウンを図ることができる。
【００３８】
そして、発光装置１の長手方向両側の端部２ｃの口金ピン５１を不図示の照明装置本体に取り付けてソケット部に接続し、電源スイッチをＯＮさせれば、各発光部３が発光することになる。発光装置１は、発光部３が、一列に複数配置されていることにより、直管型蛍光灯に対応した形状のＬＥＤ照明装置として利用することが可能である。
また、発光による熱が基板２から発生したときに、台座部４ｅの下方の下側中空部４ｊにより、その熱を逃がすことができる。
【００３９】
［変形例］
なお、本発明は、前記実施形態に限定されるものではなく、その技術的思想の範囲内で種々の改造及び変更が可能であり、本発明はこれら改造及び変更された発明にも及ぶことは勿論である。
【００４０】
例えば、前記実施形態では、直管４の一例として、左右対称形状のものを例に挙げて説明したが、左右非対称な形状のものであっても構わない。
例えば、基板支持部４ｃは、少なくとも台座部４ｅの短手方向の一方の側に形成され、基板２の短手方向の端部２ａを支持するものであればよい。
また、立上部４ｉは、少なくとも台座部４ｅの短手方向の一方端を立ち上げて形成されてあればよい。
また、折曲部４ｆは、短手方向の一方端側に形成したその立上部４ｉに連続形成してあればよい。
このように、直管４は、基板支持部４ｃ、立上部４ｉ及び折曲部４ｆを短手方向の一方端側にのみ形成しても、基板２の短手方向の端部２ａをそれらと直管内壁４ｂとで支持することが可能である。
【００４１】
また、直管４の一例として、透明な樹脂で全体を形成した場合を説明したが、直管４は、基板２よりも上側の部位が透明に形成されてあればよく、適宜変更しても構わない。例えば、直管４は、台座部４ｅ、基板支持部４ｃ、係合部４ｄ等が配置されている下側を不透明な樹脂、あるいは、放熱性及び熱伝導性に優れた材料で下側半体を形成すると共に、この下側半体に合致する上側半体を透明な樹脂またはガラスで形成するなどして、複数の部材で二色形成しても構わない。
【００４２】
また、直管４の一例として外形が直管型蛍光灯に対応した円筒形状のものを例に挙げて説明したが、直管４は、基板２を支持する台座部４ｅ及び基板支持部４ｃと、折り返し部２ｂ及び第１突起５ｂが係合される係合部４ｄと、が形成されてあれば、その形状を適宜変更しても構わない。直管４は、例えば、縦断面視して四角形状、六角形状、八角形状等の多角形状のものや、長円形状のものにするなどして、その形状に適宜変更してもよい。
【００４３】
前記実施形態では、矩形状の基板２の長手方向に一列に発光部３を配置した場合を例に挙げて発光装置１を説明したが、発光装置１はこれに限定されるものではない。発光装置１は、例えば、矩形状の基板２の長手方向に複数の発光部３を一列に配置した１組として、複数組の発光部３を長手方向に複数列に配置しても構わない。
このようにすれば、さらに明るく照明するができる発光装置１を提供することができる。
【００４４】
また、発光装置１の発光部３は、発光素子３０としてＬＥＤチップを設けた場合を説明したが、発光するものであればよく、例えば、ＬＤチップであっても構わない。
【００４５】
また、前記実施形態では、１つの直管４内に１枚の基板２を収納する場合を例に挙げて説明したが、１つの直管４内に複数枚の基板２を収納することもできる。例えば、１つの直管４内に、２枚の基板２を、発光部３が設けられた表面を互いに反対の方向に向けて収納し、その２枚の基板の折り返し部２ｂを、キャップの第１突起５ｂにより一括して直管４に固定することもできる。この場合、２枚の基板の折り返し部２ｂは其々、直管４の内側に向かって折り返されると良い。
【符号の説明】
【００４６】
１      発光装置
２      基板
２ａ    短手方向の端部
２ｂ    折り返し部
２ｃ    端部
３      発光部
４      直管
４ａ    開口端部
４ｂ    直管内壁
４ｃ    基板支持部
４ｄ    係合部
４ｅ    台座部
４ｆ    折曲部
４ｇ    突起支持部
４ｈ    支柱部
４ｉ    立上部
５      キャップ
５ａ    内壁
５ｂ    第１突起
５ｃ    環状部
５ｄ    第２突起
【図１】
2014130941.tif 000003
【図２】
2014130941.tif 000004
【図３】
2014130941.tif 000005
【図４】
2014130941.tif 000006
【図５】
2014130941.tif 000007
【図６】
2014130941.tif 000008